(57)【要約】【課題】本発明の目的は、所定のパターンを好適に結像することにある。【解決手段】導光板５は、変換部７と、結像部９とを、備える。変換部７は、入射光をコリメート光に変換する。結像部９は、コリメート光によって所定のパターンを結像する。結像部９は、変換部７と一体に形成される。【選択図】図２Ａ
2020072028.tif 000002
【特許請求の範囲】
【請求項１】
入射光をコリメート光に変換する変換部と、
前記変換部と一体に形成され前記コリメート光によって所定のパターンを結像する結像部と、
を備える導光板。
【請求項２】
前記変換部は、第１本体部と、前記第１本体部に設けられ前記入射光を反射することによって前記コリメート光を生成する反射面とを、有し、
前記結像部は、前記第１本体部と一体に形成される第２本体部と、前記第２本体部に設けられ前記所定のパターンを結像するパターン生成部とを、有する、
請求項１に記載の導光板。
【請求項３】
前記反射面は、非球面形状に形成される、
請求項２に記載の導光板。
【請求項４】
前記反射面は、複数の凹部を有する、
請求項２に記載の導光板。
【請求項５】
前記変換部は、複数の前記入射光を各別に反射する複数の前記反射面を、有する、
請求項２から４のいずれか１項に記載の導光板。
【請求項６】
前記反射面に到達する前記入射光の照度に応じて、前記結像部に到達する前記コリメート光の照度が均一化されるように、前記反射面は形成される、
請求項２から５のいずれか１項に記載の導光板。
【請求項７】
前記入射光の広角成分を除去する広角光除去部、
をさらに備える請求項１から６のいずれか１項に記載の導光板。
【請求項８】
前記広角光除去部は、前記入射光が入射される入射部と、前記変換部との間に、設けられる、
請求項７に記載の導光板。
【請求項９】
前記広角光除去部は、前記変換部に設けられる、
請求項７に記載の導光板。
【請求項１０】
前記変換部は、第１本体部と、第１入射光を反射する第１反射面と、第２入射光を反射する第２反射面とを、有し、
前記広角光除去部は、前記第１入射光の広角成分を除去する第１広角光除去部と、前記第２入射光の広角成分を除去する第２広角光除去部とを、有し、
前記第１広角光除去部は、前記第１本体部及び前記第２反射面の少なくともいずれか一方に、設けられ、
前記第２広角光除去部は、前記第１本体部及び前記第１反射面の少なくともいずれか一方に、設けられる
請求項９に記載の導光板。
【請求項１１】
前記反射面は、前記入射光を反射する非蒸着の第３反射面と、前記第３反射面によって反射された反射光を前記コリメート光に変換する第４反射面とを、有する、
請求項２から５のいずれか１項に記載の導光板。
【請求項１２】
前記反射面は、前記入射光の広角成分を反射する第５反射面を、さらに有し、
前記第３反射面は、前記第５反射面によって反射された反射光を透過可能に、配置される、
請求項１１に記載の導光板。
【請求項１３】
前記変換部は、前記入射光の広角成分を透過可能に配置される透過面を、さらに有する、
請求項１１又は１２に記載の導光板。
【請求項１４】
前記透過面には、透過光を遮蔽する遮光部が、設けられる、
請求項１３に記載の導光板。
【請求項１５】
前記透過面は、テーパ状に形成される、
請求項１３又は１４に記載の導光板。
【請求項１６】
前記第１本体部は、前記入射光が入射される入射部を、有し、
前記入射部は、前記入射光の光度分布を調整する光度調整部を、有する、
請求項２から１５のいずれか１項に記載の導光板。
【請求項１７】
前記入射光の拡散を制限する光制限部、
をさらに備える１から１６のいずれか１項に記載の導光板。
【請求項１８】
前記変換部は、複数の前記入射光を集光する集光部を、さらに有する、
をさらに備える１から１７のいずれか１項に記載の導光板。
【請求項１９】
前記所定のパターンは、前記コリメート光が進む方向と交差する方向において、結像される、
をさらに備える１から１８のいずれか１項に記載の導光板。
【請求項２０】
前記所定のパターンまわりに光を放出する光放出部、
をさらに備える１から１９のいずれか１項に記載の導光板。
【請求項２１】
請求項１から２０のいずれか１項に記載の導光板と、
前記入射光を照射する発光体と、
を備える表示装置。
【請求項２２】
請求項２１に記載の表示装置と、
前記所定のパターンに接近する物体を、検知するセンサ部と、
を備える入力装置。
【請求項２３】
請求項２１に記載の表示装置、
を備える車両用の照明装置。
【発明の詳細な説明】
【技術分野】
【０００１】
本発明は、表示装置及び機器に関する。
【背景技術】
【０００２】
従来の表示装置には、光源（発光部）と、導光板とが、開示されている（特許文献１を参照）。導光板には、光収束部（結像部）が設けられている。光収束部は、光源から離れて所定の位置に配置される。この表示装置では、光源から導光板に照射された照射光が、光収束部によって反射されることによって、所定のパターンが空間上に結像される。一方で、従来の表示装置には、光源（発光部）と、導光体（変換部）とが、開示されている（特許文献２−４を参照）。この表示装置では、導光体が、光源から照射される照射光をコリメート光に変換している。
【先行技術文献】
【特許文献】
【０００３】
【特許文献１】特開２０１６−１１４９２９号公報
【特許文献２】特開２０１１−２４３５２１号公報
【特許文献３】特開２０１３−１３７９７９号公報
【特許文献４】特開２００５−２２８５０２号公報
【発明の概要】
【発明が解決しようとする課題】
【０００４】
近年、複雑なデザインを表現するために、ＬＥＤパネルや光ファイバー等の表示装置が用いられることがある。しかしながら、このタイプの表示装置はコストが高く、低コストで複雑なデザインを表現できる表示装置が、望まれている。
【０００５】
そこで、発明者は、上述した所定のパターンを空間上に結像する技術を利用することを、考えた。この場合、光源及び光収束部は互いに離れて配置されているので、光源の照射光が光収束部に広がって到達するおそれがある。ここで、光源の照射光が光収束部に広がって到達すると、所定のパターンを明瞭に表示できないおそれがある。この問題を解決するためには、上述したコリメート光を照射光として用いることが考えられる。
【０００６】
このように、コリメート光を用いて所定のパターンを空間上に結像しようとすると、コリメート用の導光体及び結像用の導光板を隣接して配置する必要がある。この場合、コリメート用の導光体及び結像用の導光板の間に隙間が生じるので、コリメート光の伝達効率が低下する。このため、設計者が所望する所定のパターンを、好適に結像できなくなるおそれがある。
【０００７】
ここで、コリメート用の導光体及び結像用の導光板を密着させて配置すると、振動や衝撃等が表示装置に入力された場合に、コリメート用の導光体及び結像用の導光板が、摺動によって摩耗したり、衝突によって破損したりするおそれがある。また、この際に、コリメート用の導光体及び結像用の導光板の位置関係にズレが生じると、設計者が所望する所定のパターンを、好適に結像できなくなるおそれがある。
【０００８】
さらに、上記のコリメート用の導光体及び結像用の導光板それぞれは、互いに別体で製造されるので、製造プロセスが煩雑になり、製造コストが上昇するおそれがある。
【０００９】
本発明は、上記の問題に鑑みてなされたものであって、本発明の目的は、導光板、表示装置、入力装置、及び車両用の照明装置において、所定のパターンを好適に結像することにある。
また、本発明の目的は、導光板、表示装置、入力装置、及び車両用の照明装置において、製造コストを低減することにある。
【課題を解決するための手段】
【００１０】
一態様に係る導光板は、変換部と、結像部とを、有する。変換部は、入射光をコリメート光に変換する。結像部は、コリメート光によって所定のパターンを結像する。結像部は、変換部と一体に形成される。
【００１１】
本態様に係る導光板では、変換部及び結像部が一体に形成されるので、コリメート光の伝達効率を低下させることなく、コリメート光を変換部から結像部に到達させることができる。また、この構成によって、変換部及び結像部の摩耗及び衝突を防止することができる。また、変換部及び結像部の位置ズレを防止することができる。これにより、本態様に係る導光板では、所定のパターンを好適に結像することができる。
【００１２】
また、本態様に係る導光板では、変換部及び結像部が一体に形成されるので、変換部及び結像部が別体に構成される場合と比較して、導光板の製造プロセスを簡略化することができる。すなわち、本態様に係る導光板では、製造コストを低減することができる。
【００１３】
変換部は、第１本体部と、反射面とを、有していてもよい。この場合、反射面は、第１本体部に設けられる。反射面は、入射光を反射することによって、コリメート光を生成する。
【００１４】
結像部は、第２本体部と、パターン生成部とを、有する。第２本体部は、第１本体部と一体に形成される。パターン生成部は、第２本体部に設けられる。パターン生成部は、所定のパターンを結像する。
【００１５】
この構成では、第１本体部及び第２本体部が一体に形成されるので、コリメート光の伝達効率を低下させることなく、コリメート光を反射面からパターン生成部に到達させることができる。また、この構成によって、変換部及び結像部の摩耗、衝突、及び位置ズレを防止することができる。これにより、本態様に係る導光板では、所定のパターンを好適に結像することができる。
【００１６】
反射面は、非球面形状に形成されてもよい。この構成によって、変換部において照射光をコリメート光に好適に変換することができる。
【００１７】
反射面は、複数の凹部を有していてもよい。この構成によって、変換部において照射光をコリメート光に好適に変換することができる。
【００１８】
変換部は、複数の入射光を各別に反射する複数の反射面を、有していてもよい。この構成によって、各入射光を各反射面によって反射することによって、コリメート光の生成範囲を拡大することができる。すなわち、所定のパターンの表示範囲を拡大することができる。
【００１９】
反射面に到達する入射光の照度に応じて、結像部に到達するコリメート光の照度が均一化されるように、反射面は形成されてもよい。
【００２０】
この構成によって、結像部に到達するコリメート光の照度が均一化されるので、結像部において所定のパターンを明瞭に結像することができる。すなわち、所定のパターンの輝度を均一化することができる。
【００２１】
導光板は、入射光の広角成分を除去する広角光除去部を、さらに備えていてもよい。この構成によって、コリメート光の照度を均一化することができる。すなわち、所定のパターンの輝度を均一化することができる。
【００２２】
広角光除去部は、入射光が入射される入射部と、変換部との間に、設けられてもよい。この構成によって、簡単な構成によって、コリメート光の照度を均一化することができる。
【００２３】
広角光除去部は、変換部に設けられてもよい。この構成によって、簡単な構成によって、コリメート光の照度を均一化することができる。
【００２４】
複数の発光部は、第１照射光を照射する第１発光部と、第２照射光を照射する第２発光部とを、有していてもよい。この場合、変換部は、第１本体部と、第１照射光を反射する第１反射面と、第２照射光を反射する第２反射面とを、有する。
【００２５】
広角光除去部は、第１入射光の広角成分を除去する第１広角光除去部と、第２入射光の広角成分を除去する第２広角光除去部とを、有する。第１広角光除去部は、第１本体部及び第２反射面の少なくともいずれか一方に、設けられる。第２広角光除去部は、第１本体部及び第１反射面の少なくともいずれか一方に、設けられる。
【００２６】
この構成によって、コリメート光の照度を均一化することができ、コリメート光の生成範囲を拡大することができる。すなわち、所定のパターンの輝度の均一化と、所定のパターンの表示範囲の拡大を、同時に実現することができる。
【００２７】
反射面は、入射光を反射する非蒸着の第３反射面と、第３反射面によって反射された反射光をコリメート光に変換する第４反射面とを、有していてもよい。
【００２８】
この構成では、第３反射面が非蒸着であるので、製造コストを低減することができる。ここで、第４反射面を非蒸着にした場合には、製造コストをさらに低減することができる。
【００２９】
反射面は、入射光の広角成分を反射する第５反射面を、さらに有していてもよい。この場合、第３反射面は、第５反射面によって反射された反射光を透過可能に、配置される。
【００３０】
この構成では、入射光の広角成分が第３反射面から透過されるので、コリメート光の照度を均一化することができる。すなわち、所定のパターンの輝度を均一化することができる。
【００３１】
変換部は、入射光の広角成分を透過可能に配置される透過面を、さらに有していてもよい。この構成では、照射光の広角成分が透過面から透過されるので、コリメート光の照度を均一化することができる。すなわち、所定のパターンの輝度を均一化することができる。
【００３２】
透過面には、透過光を遮蔽する遮光部が、設けられてもよい。この構成では、複数の導光板が並べて配置された場合、各導光板において透過面から透過される透過光（入射光の広角成分）は、遮蔽部によって遮蔽される。
【００３３】
これにより、ある導光板から、この導光板に隣接する他の導光板への透過光（照射光の広角成分）の入射を、遮蔽部によって防止することができる。すなわち、複数の導光板において、コリメート光の照度を均一化することができる。
【００３４】
透過面は、テーパ状に形成されてもよい。この構成では、上述したように、複数の導光板が並べて配置された場合、各導光板において透過面から透過される透過光（照射光の広角成分）は、透過面によって屈曲される。
【００３５】
これにより、ある導光板から、この導光板に隣接する他の導光板への透過光（照射光の広角成分）の入射を、透過面によって防止することができる。すなわち、複数の導光板において、コリメート光の照度を均一化することができる。
【００３６】
第１本体部は、入射光が入射される入射部を、有していてもよい。この場合、入射部は、入射光の光度分布を調整する光度調整部を、有する。この構成によって、
この構成では、入射部の光度調整部において、照射光の光度分布が調整されるので、コリメート光の照度を均一化することができる。すなわち、所定のパターンの輝度を均一化することができる。
【００３７】
導光板は、入射光の拡散を制限する光制限部を、さらに備えていてもよい。この構成では、光制限部において照射光の拡散が制限されるので、入射光の指向性を向上することができる。これにより、変換部例えば反射面を、小型化することができる。
【００３８】
変換部は、複数の入射光を集光する集光部を、さらに有していてもよい。この構成では、集光部が、複数の入射光を、集光するので、高照度の入射光を生成することができる。
【００３９】
所定のパターンは、コリメート光が進む方向と交差する方向において、結像されてもよい。この構成では、所定のパターンは、コリメート光が進む方向と交差する方向に設けられる空間に、表示される。これにより、観察者が、コリメート光が進む方向において、所定のパターンを見た場合、映像Ｅの背後に変換部が見えることがないので、映像Ｅを好適に視認することができる。また、デッドスペース等を有効に活用することができる。
【００４０】
導光板は、所定のパターンまわりに光を放出する光放出部を、さらに有していてもよい。この構成では、光放出部によって、所定のパターンまわりの輝度を上昇させることができる。すなわち、所定のパターンが表示される空間の輝度を上昇させることができる。
【００４１】
一態様に係る表示装置は、上記の導光板と、入射光を照射する発光体とを、備える。これにより、表示装置において、上述した効果と同様の効果を得ることができる。
【００４２】
一態様に係る入力装置は、上記の表示装置と、所定のパターンに接近する物体を検知するセンサ部とを、備える。これにより、入力装置において、上述した効果と同様の効果を得ることができる。
【００４３】
一態様に係る車両用の照明装置は、上記の表示装置を、有する。これにより、車両用の照明装置は、上述した効果と同様の効果を得ることができる。
【発明の効果】
【００４４】
本発明によれば、導光板、表示装置、入力装置、及び車両用の照明装置において、所定のパターンを好適に結像することができる。
【図面の簡単な説明】
【００４５】
【図１】第１実施形態に係る車両の構成を示す模式図。
【図２Ａ】第１実施形態における表示装置の構成を示す模式図。
【図２Ｂ】第１実施形態における表示装置及び映像の位置関係を示す模式図。
【図３】第１実施形態における表示装置の構成を示すブロック図。
【図４】第１実施形態の変形例（Ａ１）における表示装置の模式図。
【図５Ａ】第１実施形態の変形例（Ａ２）における表示装置の模式図。
【図５Ｂ】第１実施形態の変形例（Ａ３）における表示装置の模式図。
【図６Ａ】第１実施形態の変形例（Ａ４）における表示装置の模式図。
【図６Ｂ】第１実施形態の変形例（Ａ４）における広角光除去部の模式図。
【図７】第１実施形態の変形例（Ａ５）における表示装置の模式図。
【図８】第１実施形態の変形例（Ａ６）における表示装置の模式図。
【図９】第１実施形態の変形例（Ａ７）における表示装置の模式図。
【図１０Ａ】第２実施形態に係る表示装置の構成を示す模式図。
【図１０Ｂ】第２実施形態における表示装置及び映像の位置関係を示す模式図。
【図１１】第２実施形態の変形例（Ｂ１）における表示装置の模式図。
【図１２】第２実施形態の変形例（Ｂ２）における表示装置の模式図。
【図１３】第２実施形態の変形例（Ｂ３）における表示装置の模式図。
【図１４】第２実施形態の変形例（Ｂ４）における表示装置の模式図。
【図１５Ａ】第２実施形態の変形例（Ｂ５）における表示装置の模式図。
【図１５Ｂ】第２実施形態の変形例（Ｂ６）における表示装置の模式図。
【図１５Ｃ】第２実施形態の変形例（Ｂ７）における表示装置の模式図。
【図１６Ａ】第３実施形態に係る表示装置の構成を示す模式図。
【図１６Ｂ】第３実施形態に係る表示装置の構成を示す模式図。
【図１７Ａ】第１及び第２実施形態における光度調整部の光度分布。
【図１７Ｂ】第４実施形態における光度調整部の光度分布。
【図１８Ａ】第４実施形態に係る光制限部の構成を示す模式図。
【図１８Ｂ】第４実施形態に係る光制限部の構成を示す模式図。
【図１８Ｃ】第４実施形態に係る光制限部の構成を示す模式図。
【図１８Ｄ】第４実施形態に係る光制限部の構成を示す模式図。
【図１８Ｅ】第４実施形態に係る光制限部の構成を示す模式図。
【図１９】第５実施形態に係る集光部の構成を示す模式図。
【図２０Ａ】第６実施形態に係る表示装置及び映像の位置関係を示す模式図。
【図２０Ｂ】第６実施形態に係る表示装置及び映像の位置関係を示す模式図。
【図２１Ａ】第７実施形態に係る表示装置の構成を示す模式図。
【図２１Ｂ】第７実施形態に係る表示装置及び映像の位置関係を示す模式図。
【図２１Ｃ】第７実施形態に係る表示装置及び映像の位置関係を示す模式図。
【図２２】他の実施形態に係る表示装置の構成を示す模式図。
【図２３】他の実施形態に係る入力装置の構成を示す模式図。
【発明を実施するための形態】
【００４６】
［第１実施形態］
以下、図面を参照して、導光板５を有する表示装置１について、説明する。表示装置１は、例えば、図１に示す車両Ｃの後部左右にそれぞれ配置されるテールランプ用の表示装置として、用いられる。すなわち、表示装置１は、テールランプ用の照明装置に含まれる。表示装置１は、テールランプのランプカバーＴの内側に配置される。
【００４７】
表示装置１は、映像Ｅ（所定のパターンの一例）を、表示装置１の外側の空間に、表示する。図２Ａ及び図２Ｂに示すように、表示装置１は、光源３（発光部の一例）と、導光板５とを、備える。
【００４８】
本実施形態では、図２Ｂに示すように、映像Ｅが、観察者及び導光板５の間に表示される場合の例が、示される。例えば、映像Ｅは、導光板５の出射面９ｃ側に表示される。映像Ｅは、図２ＢのようにランプカバーＴ及び導光板５の間に表示されてもよいし、ランプカバーＴの外側に表示されてもよい。また、導光板５が観察者及び映像Ｅの間に位置するように、映像Ｅは表示されてもよい。すなわち、映像Ｅが、導光板５の背面側に表示される。
【００４９】
なお、本実施形態では、コリメート光（後述する）が進む方向を、Ｙ方向と定義している。Ｙ方向に直交する方向を、Ｘ方向及びＺ方向と定義している。Ｚ方向は、変換部７の厚み方向に対応する。Ｘ方向は、変換部の幅方向に対応する。
【００５０】
＜光源＞
光源３は、導光板５に隣接して配置される。光源３は、導光板５に光を照射する。光源３は、光軸Ｋを有する。光軸Ｋは、光源３の出射面の法線方向（出射面に対して垂直な方向）に延びる軸である。
【００５１】
光源３は、コントローラ５０（後述する）からの制御信号に基づいて、制御される。光源３は、例えばＬＥＤ（Light Emitting Diode）である。ただし、光源３は、ＬＥＤに限らず、ＯＬＥＤ（Organic Light Emitting Diode）などの他の光源３であってもよい。
【００５２】
図３に示すように、コントローラ５０は、ＣＰＵ（Central Processing Unit）などのプロセッサ５１と、ＲＡＭ（Random Access Memory）及びＲＯＭ（Read Only Memory）等のメモリ５２とを、有する。メモリ５２は、プロセッサ５１によって実行される命令、及び光源３を制御するためのデータを記憶する。コントローラ５０は、例えば、光源３を制御する。
【００５３】
＜導光板＞
導光板５には、光源３から出射された光が、入射される。導光板５は、入射光をコリメート光に変換し、このコリメート光によって映像Ｅを結像する。導光板５は、透光性材料で形成される。例えば、導光板５は、例えばポリメチルメタクリレート（ＰＭＭＡ）、ポリカーボネート、又はシクロオレフィンポリマー等の透明な樹脂、及びガラスなどの材料によって、形成されることが好ましい。
【００５４】
図２Ａ及び図２Ｂに示すように、導光板５は、変換部７と、結像部９とを、有する。
【００５５】
（変換部）
変換部７は、入射光をコリメート光に変換する。例えば、変換部７は、光源３から照射される照射光を、コリメート光に変換する。図２Ａ及び図２Ｂに示すように、変換部７は、第１本体部７ａと、第１入射面７ｂ（入射部の一例）と、反射面７ｃとを、有する。
【００５６】
第１本体部７ａは、反射面７ｃ及び結像部９の間に設けられる。第１本体部７ａは、光源３から照射された照射光を反射面７ｃに導き、反射面７ｃによって生成されたコリメート光を結像部９に導く。
【００５７】
第１入射面７ｂは、第１本体部７ａに設けられる。第１入射面７ｂには、光源３が対向して配置される。第１入射面７ｂには、光源３からの照射光が、入射される。
【００５８】
反射面７ｃは、第１本体部７ａに設けられる。反射面７ｃは、光源３から照射された光を反射することによって、コリメート光を生成する。反射面７ｃは、コリメート光を生成可能な形状、例えば非球面形状に形成される。非球面形状は、放物面、双曲面、及び楕円面等を、含む。
【００５９】
反射面７ｃには、蒸着処理が施される。例えば、反射面７ｃは、真空蒸着メッキを用いた真空蒸着製鏡によって、形成される。反射面７ｃは、基材に対して真空蒸着メッキを施すことによって、形成される。例えば、反射面７ｃの基材には、密着層が重ねて配置される。密着層には、蒸着層が重ねて配置される。蒸着層には、保護層が重ねて配置される。
【００６０】
なお、ここでは、反射面７ｃに蒸着処理が施される場合の例を示すが、反射面７ｃにはスパッタリング処理が、施されてもよい。スパッタリング処理では、基材が真空装置に配置され状態において、グロー放電を発生させることによって、反射膜が基材に付着する。このように、反射面７ｃは、スパッタリング処理によっても形成することができる。
【００６１】
（結像部）
図２Ａ及び図２Ｂに示すように、結像部９は、変換部７と一体に形成される。結像部９は、コリメート光によって、映像Ｅを結像する。詳細には、コリメート光は、変換部７から結像部９に入射される。結像部９は、コリメート光によって映像Ｅを結像する。例えば、映像Ｅは、コリメート光が進む方向と交差する方向において、結像部９の外側の空間に結像される。本実施形態では、映像Ｅは、Ｚ方向において、結像部９の外側の空間に結像されている。
【００６２】
結像部９は、第２本体部９ａと、映像生成部９ｂ（パターン生成部の一例）とを、有する。第２本体部９ａは、第１本体部７ａと一体に形成される。本実施形態では、第２本体部９ａは、第１本体部７ａと同一平面上において一体に形成される。第２本体部９ａは、反射面７ｃと対向するように、第１本体部７ａと一体に形成される。第２本体部９ａは、コリメート光を映像生成部９ｂに導き、映像生成部９ｂによって反射された光を出射面９ｃに導く。
【００６３】
映像生成部９ｂは、映像Ｅを結像する。映像生成部９ｂは、第２本体部９ａに設けられる。例えば、映像生成部９ｂは、複数のプリズムから構成される。複数のプリズムは、第２本体部９ａの背面に設けられる。複数のプリズムの構成は、公知の技術を利用可能であるため、ここでは説明を省略する。
【００６４】
映像生成部９ｂは、コリメート光を反射することによって、コリメート光の光路を変更し、第２本体部９ａから離れた位置に映像Ｅを結像する。例えば、映像生成部９ｂ（例えば複数のプリズム）によって反射された光は、第２本体部９ａを通過し、出射面９ｃから出射される。この光を収束させることによって、映像Ｅが結像される。
【００６５】
このように、映像生成部９ｂは、コリメート光を反射することによって、映像Ｅを結像部９の外側の空間に結像する。なお、映像Ｅの結像形態は、公知の技術を利用可能であるため、ここでは説明を省略する。
【００６６】
＜まとめ＞
上記の構成を有する表示装置１では、変換部７（第１本体部７ａ）及び結像部９（第２本体部９ａ）が一体に形成されるので、コリメート光の伝達効率を低下させることなく、コリメート光を変換部７（反射面７ｃ）から結像部９（映像生成部９ｂ）に到達させることができる。これにより、表示装置１では、映像Ｅを好適に結像することができる。
【００６７】
また、この構成によって、変換部７及び結像部９の摩耗及び衝突を防止することができる。また、変換部７及び結像部９の位置ズレを防止することができる。これにより、表示装置１では、映像Ｅを好適に結像することができる。
【００６８】
また、この構成によって、結像部９が変換部７と別体に構成される場合と比較して、導光板５の製造プロセスを簡略化することができる。すなわち、表示装置１では、製造コストを低減することができる。
【００６９】
また、映像Ｅは、コリメート光の進行方向と交差する方向において、結像部９の外側の空間に表示することができる。この場合、観察者が、コリメート光の進行方向において、映像Ｅを見た場合、映像Ｅの背後に表示装置１が見えることがないので、映像Ｅを好適に視認することができる。また、デッドスペース等を有効に活用することができる。
【００７０】
＜第１実施形態の変形例＞
以上、本発明の一実施形態について説明したが、本発明は上記実施形態に限定されるものではなく、発明の要旨を逸脱しない範囲で種々の変更が可能である。
【００７１】
（Ａ１）前記実施形態では、表示装置１が１つの導光板５を有する場合の例が、示された。これに代えて、図４に示すように、表示装置１は、複数の導光板５を有していてもよい。
【００７２】
この場合、複数の導光板５は、一方向に並べて配置される。複数の導光板５は、同一平面上において、互いに隣接して配置される。例えば、複数の導光板５は、Ｘ方向に並べて配置される。なお、ここでは、複数の導光板５が一次元的に配置される場合の例を示すが、複数の導光板５が二次元的に配置されてもよい。
【００７３】
（Ａ２）前記実施形態では、表示装置１が１つの光源３を有し、且つ変換部７が１つの反射面７ｃを有する場合の例が、示された。これに代えて、図５Ａに示すように、表示装置１が複数の光源３を有し、且つ変換部７が複数の反射面７ｃを有していてもよい。この場合、複数の反射面７ｃは、複数の光源３の照射光を各別に反射する。複数の反射面７ｃを有する変換部７は、結像部９と一体に形成される。
【００７４】
このように、複数の反射面７ｃによって複数の光源３の照射光を各別に反射させることによって、複数のコリメート光束が生成される。この構成によって、コリメート光の生成範囲を拡大することができる。すなわち、映像Ｅの表示範囲を拡大することができる。
【００７５】
（Ａ３）前記実施形態では、表示装置１が１つの光源３を有し、且つ変換部７が１つの反射面７ｃを有する場合の例が、示された。これに代えて、図５Ｂに示すように、表示装置１が複数の光源３を有し、且つ変換部７が複数の反射面７ｃを有していてもよい。
【００７６】
この場合、複数の反射面７ｃを有する変換部７が、結像部９と一体に形成される。複数の反射面７ｃは、複数の光源３の照射光を各別に反射する。例えば、複数の光源３は、第１光源３ａと、第２光源３ｂとを、有する。複数の反射面７ｃは、第１反射面７ｃ１と、第２反射面７ｃ２とを、有する。
【００７７】
第１光源３ａは、第１反射面７ｃ１に照射され、第１反射面７ｃ１によって反射される。このように、第１光源３ａを第１反射面７ｃ１によって反射することによって、第１コリメート光が生成される。第２光源３ｂは、第２反射面７ｃ２に照射され、第２反射面７ｃ２によって反射される。このように、第２光源３ｂを第２反射面７ｃ２によって反射することによって、第２コリメート光が生成される。
【００７８】
この構成によって、コリメート光の生成範囲を拡大することができる。すなわち、映像Ｅの表示範囲を拡大することができる。
【００７９】
（Ａ４）前記実施形態の表示装置１は、照射光の広角成分を除去する広角光除去部１１を、さらに備えていてもよい。この場合、図６Ａに示すように、広角光除去部１１は、例えば、光源３及び変換部７の間に、設けられる。ここでは、広角光除去部１１は、変換部７と一体に形成される場合の例を示すが、広角光除去部１１は変換部７と別体で設けられてもよい。
【００８０】
図６Ｂに示すように、広角光除去部１１は、第２入射面１１ａと、光除去面１１ｂとを、有する。光源３（第１光源３ａ及び第２光源３ｂ）から照射された照射光は、第２入射面１１ａに入射される。この際に、光源３の光軸Ｋまわりの照射光（低角光）は、変換部７に入射される。一方で、照射光の広角成分、例えば光源３の光軸Ｋから離れた照射光（広角光）は、光除去面１１ｂを通過する。
【００８１】
なお、広角光除去部１１において除去された広角光は、他の導光部材に入光させてもよい。これにより、広角光除去部１１において除去された広角光を、他の導光部材において利用したり、他の導光部材を用いて他の空間に導光したりすることができる。
【００８２】
変換部７に入射される低角光の導光角は、光軸Ｋを含む６０度未満の範囲であることが好ましい。例えば、変換部７に入射される低角光の導光角は、光軸Ｋから３０度未満の範囲であることが好ましい。
【００８３】
また、光除去面１１ｂで除去される広角光の導光角は、光軸Ｋを含む６０度以上の範囲であることが好ましい。例えば、光除去面１１ｂで除去される広角光の導光角は、光軸Ｋから３０度以上の範囲であることが好ましい。
【００８４】
ここで、光除去面１１ｂは、照射光の広角成分を吸収可能に構成されてもよい。例えば、光除去面１１ｂには、照射光の広角成分を吸収可能な部材を取り付けてもよい。光除去面１１ｂには、照射光の広角成分を吸収可能な材料を塗布してもよい。
【００８５】
この構成では、簡単な構成によって、照射光の照度を均一化することができる。すなわち、照度が均一化された照射光によって、コリメート光を生成することができ、映像Ｅの輝度を均一化することができる。
【００８６】
（Ａ５）前記実施形態の表示装置１は、照射光の広角成分を除去する広角光除去部１１を、さらに備えていてもよい。この場合、図７に示すように、広角光除去部１１は、例えば、変換部７に設けられる。図７では、広角光除去部１１は、第１本体部７ａ及び反射面７ｃに設けられる。詳細には、第１本体部７ａの一部及び反射面７ｃの一部が、広角光除去部１１として機能するように、第１本体部７ａ及び反射面７ｃが構成される。
【００８７】
例えば、第１本体部７ａの広角光除去部１１、及び反射面７ｃの広角光除去部１１は、照射光の広角成分を透過可能に構成される。詳細には、照射光の広角成分を第１本体部７ａの内部から外部に出射させるための出射領域１１ｃが、第１本体部７ａに形成される。この出射領域１１ｃが、第１本体部７ａの広角光除去部１１として機能する。また、反射面７ｃの一部をマスキング等によって蒸着処理を施さないことによって、非蒸着面１１ｄが、反射面７ｃに形成される。この非蒸着面１１ｄが、反射面７ｃの広角光除去部１１として機能する。
【００８８】
ここで、第１本体部７ａの広角光除去部１１、及び反射面７ｃの広角光除去部１１は、照射光の広角成分を吸収可能に構成されてもよい。例えば、第１本体部７ａの出射領域１１ｃ、及び反射面７ｃの非蒸着面１１ｄには、照射光の広角成分を吸収可能な材料を塗布してもよい。第１本体部７ａの出射領域１１ｃ、及び反射面７ｃの非蒸着面１１ｄには、照射光の広角成分を吸収可能な部材を取り付けてもよい。
【００８９】
広角光除去部１１で除去される照射光の広角成分（広角光）の導光角は、光軸Ｋを含む６０度以上の範囲であることが好ましい。例えば、広角光除去部１１で除去される広角光の導光角は、光軸Ｋから３０度以上の範囲であることが好ましい。
【００９０】
また、変換部７に入射される照射光の低角成分（低角光）の導光角は、光軸Ｋを含む６０度未満の範囲であることが好ましい。例えば、変換部７に入射される低角光は、光軸Ｋから３０度未満の範囲であることが好ましい。
【００９１】
なお、ここでは、広角光除去部１１が第１本体部７ａ及び反射面７ｃに設けられる場合の例が、示されたが、広角光除去部１１が第１本体部７ａ及び反射面７ｃのいずれか一方に設けられてもよい。
【００９２】
この構成では、簡単な構成によって、照射光の照度を均一化することができる。すなわち、照度が均一化された照射光によって、コリメート光を生成することができ、映像Ｅの輝度を均一化することができる。
【００９３】
（Ａ６）前記実施形態の表示装置１は、照射光の広角成分を除去する広角光除去部１１を、さらに備えていてもよい。
【００９４】
この場合、例えば、図８に示すように、複数の光源３は、第１照射光を照射する第１光源３ａと、第２照射光を照射する第２光源３ｂとを、有する。変換部７は、第１本体部７ａと、第１照射光を反射する第１反射面７ｃ１と、第２照射光を反射する第２反射面７ｃ２とを、有する。
【００９５】
広角光除去部１１は、第１広角光除去部１２と、第２広角光除去部１３とを、有する。第１広角光除去部１２は、第１本体部７ａ及び第２反射面７ｃ２に設けられる。第２広角光除去部１３は、第１本体部７ａ及び第１反射面７ｃ１に設けられる。
【００９６】
第１広角光除去部１２は、第１照射光の広角成分を除去する。第２広角光除去部１３は、第２照射光の広角成分を除去する。第１広角光除去部１２及び第２広角光除去部１３は、例えば、上記の（Ａ４）及び（Ａ５）と同様に構成される。
【００９７】
なお、第１広角光除去部１２は、第１本体部７ａ及び第２反射面７ｃ２のいずれか一方に、設けられてもよい。第２広角光除去部１３は、第１本体部７ａ及び第１反射面７ｃ１のいずれか一方に、設けられてもよい。
【００９８】
この構成によって、照射光の照度を均一化することができる。すなわち、照度が均一化された照射光によって、コリメート光を生成することができ、映像Ｅの輝度を均一化することができる。
【００９９】
なお、図８に示す導光板５を、並べて配置してもよい。言い換えると、複数の導光板５が互いに並べて配置されてもよい。
【０１００】
（Ａ７）前記実施形態の反射面７ｃは、次のように形成してもよい。例えば、図９に示すように、反射面７ｃに到達する照射光の照度に応じて、結像部９に到達するコリメート光の照度が均一化されるように、反射面７ｃは形成される。
【０１０１】
例えば、照射光が光軸Ｋから離れるにつれて、コリメート光の出射幅Ｈが狭くなるように（Ｈ１＞Ｈ２＞Ｈ３＞Ｈ４）、反射面７ｃは形成される。詳細には、照射光の光軸Ｋが反射面７ｃに交差する交差点から離れるにつれて、曲率が大きくなるように、反射面７ｃは形成される。言い換えると、反射面７ｃは、上記の曲率を有する曲線に沿って形成される。
【０１０２】
また、この場合、例えば、反射面７ｃは、コリメート光を生成するための複数のプリズム８（複数の凹部の一例）を、有する。これら複数のプリズム８によって、コリメート光が生成される。
【０１０３】
この構成では、コリメート光の照度は反射面７ｃの曲率によって決定され、コリメート光の生成は反射面７ｃのプリズム８によって行われる。これにより、コリメート光の進行方向と直交する方向（Ｘ方向）において実質的に同じ照度を有するコリメート光が、反射面７ｃによって生成される。すなわち、結像部９に到達するコリメート光の照度が均一化される。このため、結像部９において映像Ｅを明瞭に結像することができる。すなわち、所定のパターンの輝度を均一化することができる。
【０１０４】
［第２実施形態］
第２実施形態の基本構成は、第１実施形態と実質的に同じである。このため、以下では、第１実施形態と異なる構成、例えば導光板５の構成について、説明を行う。なお、第２実施形態で省略された構成については、第１実施形態の説明に準ずる。
【０１０５】
＜導光板＞
導光板５は、光源３から出射された光を、コリメート光に変換し、このコリメート光によって、映像Ｅを結像する。図１０Ａ及び図１０Ｂに示すように、導光板５は、変換部７と、結像部９とを、有する。
【０１０６】
変換部７は、光源３から照射される照射光を、コリメート光に変換する。変換部７は、第１本体部７ａと、第１入射面７ｂと、反射面７ｃとを、有する。変換部７は、結像部９と一体に形成される。
【０１０７】
第１本体部７ａは、第１実施形態と同様に、第２本体部９ａと一体に形成される。第１本体部７ａは、反射面７ｃ及び結像部９の間に設けられる。第１本体部７ａは、光源３から照射された照射光を反射面７ｃに導き、反射面７ｃによって生成されたコリメート光を、結像部９に導く。
【０１０８】
第１入射面７ｂは、第１実施形態と同様に、第１本体部７ａに設けられる。第１入射面７ｂには、光源３が対向して配置される。第１入射面７ｂには、照射光が入射される。
【０１０９】
反射面７ｃは、第１本体部７ａに設けられる。反射面７ｃは、光源３から照射された光を反射することによって、コリメート光を生成する。
【０１１０】
反射面７ｃは、照射光を全反射する。例えば、反射面７ｃは、蒸着処理が施されておらず、非蒸着である。反射面７ｃにおいて最も光源に近い部分に入射する光と、反射面７ｃとがなす角度α（図１０Ａを参照）が、臨界角度より大きくなるように、反射面７ｃは配置される。これにより、光源３から反射面７ｃに到達した光は、反射面７ｃによって全反射される。
【０１１１】
ここで、反射面７ｃは、非球面形状に形成される。例えば、反射面７ｃは、放物柱状に形成される。光源３の光軸Ｋと、コリメート光の進行方向に延びる直線とを含む平面を、切断面とした場合、第４反射面７ｃ４は放物線状に形成される。これにより、光源３から照射された照射光が、反射面７ｃに到達すると、反射面７ｃによってコリメート光が生成される。
【０１１２】
＜まとめ＞
上記の構成を有する表示装置１では、変換部７（第１本体部７ａ）及び結像部９（第２本体部９ａ）が一体に形成されるので、コリメート光の伝達効率を低下させることなく、コリメート光を変換部７（反射面７ｃ）から結像部９（映像生成部９ｂ）に到達させることができる。これにより、表示装置１では、映像Ｅを好適に結像することができる。
【０１１３】
また、この構成によって、変換部７及び結像部９の摩耗及び衝突を防止することができる。また、変換部７及び結像部９の位置ズレを防止することができる。これにより、表示装置１では、映像Ｅを好適に結像することができる。
【０１１４】
また、この構成によって、結像部９が変換部７と別体に構成される場合と比較して、導光板５の製造プロセスを簡略化することができる。すなわち、表示装置１では、製造コストを低減することができる。
【０１１５】
また、映像Ｅは、コリメート光の進行方向と交差する方向において、結像部９の外側の空間に表示することができる。この場合、観察者が、コリメート光の進行方向において、映像Ｅを見た場合、映像Ｅの背後に表示装置１が見えることがないので、映像Ｅを好適に視認することができる。また、デッドスペース等を有効に活用することができる。
【０１１６】
＜第２実施形態の変形例＞
以上、本発明の一実施形態について説明したが、本発明は上記実施形態に限定されるものではなく、発明の要旨を逸脱しない範囲で種々の変更が可能である。
【０１１７】
（Ｂ１）前記実施形態では、表示装置１が１つの光源３及び１つの導光板５を有する場合の例が、示された。これに代えて、図１１に示すように、表示装置１は、複数の導光板５を有していてもよい。
【０１１８】
この場合、複数の導光板５は、一方向に並べて配置される。複数の導光板５は、同一平面上において、互いに隣接して配置される。例えば、複数の導光板５は、Ｘ方向に並べて配置される。
【０１１９】
なお、ここでは、複数の導光板５が一次元的に配置される場合の例を示すが、複数の導光板５が二次元的に配置されてもよい。
【０１２０】
（Ｂ２）前記実施形態では、表示装置１が１つの光源３を有し、且つ変換部７が１つの反射面７ｃを有する場合の例が、示された。これに代えて、図１２に示すように、表示装置１が複数の光源３を有し、且つ変換部７が複数の反射面７ｃを有していてもよい。この場合、複数の反射面７ｃは、複数の光源３の照射光を各別に反射する。複数の反射面７ｃを有する変換部７が、結像部９と一体に形成される。
【０１２１】
このように、複数の反射面７ｃによって複数の光源３の照射光を各別に反射させることによって、複数のコリメート光束が生成される。この構成によって、コリメート光の生成範囲を拡大することができる。すなわち、映像Ｅの表示範囲を拡大することができる。
【０１２２】
（Ｂ３）前記実施形態の表示装置１は、照射光の広角成分を除去する広角光除去部１１を、さらに備えていてもよい。この場合、図１３に示すように、広角光除去部１１は、例えば、光源３及び変換部７の間に、設けられる。広角光除去部１１は、変換部７と一体に形成されてもよいし、変換部７と別体で設けられてもよい。
【０１２３】
この構成は、上述した（Ａ３）の構成と実質的に同じであるので、ここでは説明を省略する。この構成では、簡単な構成によって、照射光の照度を均一化することができる。すなわち、照度が均一化された照射光によって、コリメート光を生成することができ、映像Ｅの輝度を均一化することができる。
【０１２４】
（Ｂ４）前記実施形態の反射面７ｃは、次のように構成されてもよい。図１４に示すように、反射面７ｃは、照射光を反射する非蒸着の第３反射面７ｃ３と、第３反射面７ｃ３によって反射された反射光を非蒸着の第４反射面７ｃ４とを、有する。反射面７ｃは、照射光の広角成分を反射する非蒸着の第５反射面７ｃ５を、さらに有する。
【０１２５】
すなわち、反射面７ｃは、照射光を全反射する第３反射面７ｃ３と、第３反射面７ｃ３によって反射された反射光を全反射する第４反射面７ｃ４と、照射光の広角成分を全反射する第５反射面７ｃ５とを、有する。
【０１２６】
第３反射面７ｃ３は、光源３の光軸Ｋとなす角度が臨界角度より大きくなるように、配置される。これにより、光源３から第３反射面７ｃ３に到達した光は、第３反射面７ｃ３によって全反射される。
【０１２７】
第４反射面７ｃ４は、第３反射面７ｃ３によって反射された反射光の光軸Ｋとなす角度が臨界角度より大きくなるように、配置される。これにより、第３反射面７ｃ３から第４反射面７ｃ４に到達した光は、第４反射面７ｃ４によって全反射される。
【０１２８】
ここで、第４反射面７ｃ４は、非球面形状に形成される。例えば、第４反射面７ｃ４は、放物柱状に、形成される。第４反射面７ｃ４は、ＸＹ平面上において、放物線状に形成される。これにより、第３反射面７ｃ３によって全反射された反射光が第４反射面７ｃ４に到達すると、第４反射面７ｃ４によってコリメート光が生成される。
【０１２９】
第５反射面７ｃ５は、第１入射面７ｂに対して所定の角度で配置される。ここでは、第５反射面７ｃ５は、第１入射面７ｂから垂直な方向（Ｙ方向）に、延びる。第５反射面７ｃ５の一端部は、第１入射面７ｂに接続される。
【０１３０】
第５反射面７ｃ５は、照射光の広角成分（広角光）を反射可能なように、配置される。例えば、第５反射面７ｃ５は、光軸Ｋを含む６０度以上の範囲の導光角を有する広角光を、反射することが好ましい。言い換えると、第５反射面７ｃ５は、光軸Ｋから３０度以上の範囲の導光角を有する広角光を、反射することが好ましい。
【０１３１】
照射光の低角成分（低角光）は、第３反射面７ｃ３に入射され、第３反射面７ｃ３によって反射される。照射光の低角光の導光角は、光軸Ｋを含む６０度未満の範囲であることが好ましい。言い換えると、照射光の低角光の導光角は、光軸Ｋから３０度未満の範囲であることが好ましい。
【０１３２】
また、第３反射面７ｃ３は、第５反射面７ｃ５によって反射された反射光（広角光）を透過可能に、配置される。すなわち、第３反射面７ｃ３は、照射光の低角光を反射し、且つ第５反射面７ｃ５によって反射された広角光を透過するように、配置される。
【０１３３】
この構成では、第５反射面７ｃ５によって反射された広角光は、第３反射面７ｃ３から透過され、照射光の低角光は、第３反射面７ｃ３によって全反射される。第４反射面７ｃ４は、第３反射面７ｃ３によって全反射された低角光を用いて、コリメート光を生成する。これにより、コリメート光の照度を均一化することができる。すなわち、映像Ｅの輝度を均一化することができる。
【０１３４】
（Ｂ５）前記実施形態の変換部７は、照射光の広角成分を透過可能に配置される透過面７ｄを、さらに有していてもよい。例えば、図１５Ａに示すように、透過面７ｄは、第１入射面７ｂに対向して配置される。透過面７ｄは、照射光の広角成分（広角光）を、透過する。言い換えると、透過面７ｄは、照射光の広角光を透過可能なように、配置される。照射光の広角光の導光角は、光軸Ｋを含む６０度以上の範囲であることが好ましい。言い換えると、照射光の広角光の導光角は、光軸Ｋから３０度以上の範囲であることが好ましい。
【０１３５】
この構成では、照射光の広角光は透過面７ｄから透過され、照射光の低角光は第３反射面７ｃ３によって全反射される。第４反射面７ｃ４は、第３反射面７ｃ３によって全反射された低角光を用いて、コリメート光を生成する。これにより、コリメート光の照度を均一化することができる。すなわち、映像Ｅの輝度を均一化することができる。
【０１３６】
（Ｂ６）前記実施形態の透過面７ｄ、例えば上記の（Ｂ５）の透過面７ｄは、テーパ状に形成されてもよい。この場合、例えば、図１５Ｂに示すように、複数の導光板５が並べて配置された場合、テーパ状の透過面７ｄは、隣接する導光板５に対向して配置される。
【０１３７】
この構成では、透過面７ｄに到達した照射光の広角成分（広角光）は、透過面７ｄから屈曲して出射される。ここで、広角光の出射角度が変化すると、隣接した導光板５への広角光の入射角度が変化する。
【０１３８】
これにより、隣接した導光板５への広角光の入射を、防止することができる。すなわち、複数の導光板５が並べて配置されたとしても、広角光の迷光を防止することができる。
【０１３９】
（Ｂ７）前記実施形態の透過面７ｄ、例えば上記の（Ｂ５）の透過面７ｄには、透過光を遮蔽する遮光部７ｆが、設けられてもよい。この場合、図１５Ｃに示すように、複数の導光板５が並べて配置された場合、遮光部７ｆは、互いに隣接する導光板５の間において、透過面７ｄに対向して配置される。
【０１４０】
これにより、透過面７ｄから出射される照射光の広角成分（広角光）を、遮光部７ｆによって遮光することができる。すなわち、ある導光板５の透過面７ｄから出射された広角光が、隣接した導光板５に入射しないように、遮光部７ｆによって規制することができる。これにより、複数の導光板５が並べて配置されたとしても、広角光の迷光を防止することができる。
【０１４１】
［第３実施形態］
第３実施形態の基本構成は、第１及び第２実施形態と実質的に同じである。このため、以下では、第１及び第２実施形態と異なる構成、例えば第１入射面７ｂの構成について、説明を行う。なお、第３実施形態で省略された構成については、第１及び第２実施形態の説明に準ずる。
【０１４２】
図１６Ａ及び図１６Ｂに示すように、第１入射面７ｂは、照射光の光度分布を調整する光度調整部７ｂ１を、有する。光度調整部７ｂ１は、拡散光である照射光の光度を、調整する。
【０１４３】
例えば、光度調整部７ｂ１は、第１入射面７ｂに設けられる。例えば、図１６Ａに示すように、光度調整部７ｂ１は、複数のプリズム７ｂ２を有する。複数のプリズム７ｂ２それぞれは、第１入射面７ｂ上に凹状に形成される。また、図１６Ｂに示すように、光度調整部７ｂ１は、円弧状の凹部７ｂ３を有していてもよい。円弧状の凹部７ｂ３は、第１入射面７ｂ上に形成される。
【０１４４】
図１７Ａは、光度調整部７ｂ１が第１入射面７ｂ上に形成されていない場合の光度分布である。図１７Ａの光度分布では、ピーク値が鋭角に形成される。図１７Ｂは、光度調整部７ｂ１が第１入射面７ｂ上に形成された場合の光度分布である。図１７Ｂの光度分布では、ピーク値が実質的に曲面状に形成される。
【０１４５】
上記のように光度調整部７ｂ１を第１入射面７ｂ上に形成することによって、照射光の光度ムラを低減することができる。すなわち、光度ムラの小さい照射光を用いて、コリメート光を生成することによって、コリメート光の照度を均一化することができる。すなわち、映像Ｅの輝度を均一化することができる。
【０１４６】
［第４実施形態］
第４実施形態の基本構成は、第１から第３実施形態と実質的に同じである。このため、以下では、第１から第３実施形態と異なる構成について、説明を行う。なお、第４実施形態で省略された構成については、第１から第３実施形態の説明に準ずる。
【０１４７】
図１８Ａに示すように、表示装置１は、照射光の拡散を制限する光制限部１５を、さらに備える。光制限部１５は、光源３及び反射面７ｃの間に設けられる。
【０１４８】
図１８Ａでは、光制限部１５は、光源３及び第１入射面７ｂの間に設けられる。例えば、光制限部１５は、遮光構造１５ａを有する。遮光構造１５ａは、遮光本体１５ａ１と、導光孔１５ａ２とを、有する。
【０１４９】
遮光本体１５ａ１は、光源３及び第１入射面７ｂの間に配置される。導光孔１５ａ２は、遮光本体１５ａ１に設けられる。導光孔１５ａ２は、光源３から照射される照射光を、変換部７（例えば第１本体部７ａ）に導く。導光孔１５ａ２を通過した光は、変換部７（例えば第１本体部７ａの第１入射面７ｂ）に入射される。
【０１５０】
詳細には、照射光が光源３から導光孔１５ａ２に照射されると、照射光の拡散が遮光本体１５ａ１の内周面によって制限される。これにより、照射光の指向性を向上することができる。すなわち、変換部７例えば反射面７ｃを、小型化することができる。
【０１５１】
＜第４実施形態の変形例＞
以上、本発明の一実施形態について説明したが、本発明は上記実施形態に限定されるものではなく、発明の要旨を逸脱しない範囲で種々の変更が可能である。
【０１５２】
（Ｃ１）前記実施形態の光制限部１５は、図１８Ｂに示すように、光屈曲レンズ１５ｂを有していてもよい。光屈曲レンズ１５ｂは、光源３及び反射面７ｃの間に配置される。
【０１５３】
この場合、光源３の照射光は、光屈曲レンズ１５ｂの入射面１５ｂ１に入射される。光屈曲レンズ１５ｂの出射面１５ｂ２は、凸状に湾曲して形成される。光屈曲レンズ１５ｂを通過した光は、変換部７（例えば第１本体部７ａの入射面）に向かうように、光屈曲レンズ１５ｂの出射面１５ｂ２において屈曲される。このように、光源３の拡散光が、光屈曲レンズ１５ｂによって、整光される。
【０１５４】
これにより、照射光の指向性を向上することができる。すなわち、変換部７例えば反射面７ｃを、小型化することができる。
【０１５５】
（Ｃ２）前記実施形態の光制限部１５は、図１８Ｃに示すように、第１本体部７ａの側面に設けられていてもよい。この場合、光制限部１５は、傾斜面１５ｃによって構成される。傾斜面１５ｃは、第１本体部７ａの側面に設けられる。傾斜面１５ｃは、第１入射面７ｂに接続される。
【０１５６】
この場合、光源３の照射光は、第１本体部７ａの第１入射面７ｂに入射される。第１本体部７ａの第１入射面７ｂに入射された光の拡散光は、傾斜面１５ｃによって反射され、反射面７ｃに向けて進む。このように、拡散光は、第１本体部７ａの傾斜面１５ｃによって、整光される。
【０１５７】
これにより、照射光の指向性を向上することができる。すなわち、変換部７例えば反射面７ｃを、小型化することができる。
【０１５８】
（Ｃ３）前記実施形態の光制限部１５は、図１８Ｄに示すように、第１本体部７ａの側面に設けられていてもよい。この場合、光制限部１５は、吸収部材１５ｄによって構成される。吸収部材１５ｄは、第１本体部７ａの側面に取り付けられる。吸収部材１５ｄは、第１本体部７ａの側面に塗布されてもよい。
【０１５９】
この場合、光源３の照射光は、第１入射面７ｂに入射される。この際に、光源３の拡散光が、吸収部材１５ｄによって吸収される。これにより、照射光の指向性を向上することができる。すなわち、変換部７例えば反射面７ｃを、小型化することができる。
【０１６０】
（Ｃ４）前記実施形態の光制限部１５は、図１８Ｅに示すように、第１本体部７ａの第１入射面７ｂを凸状に形成することによって、構成されてもよい。この場合、光源３の照射光は、凸状の第１入射面７ｂに入射される。この際に、光源３の照射光は、反射面７ｃに向かうように、第１入射面７ｂによって屈曲される。このように、光源３の拡散光が、第１入射面７ｂによって、整光される。これにより、照射光の指向性を向上することができる。すなわち、変換部７例えば反射面７ｃを、小型化することができる。
【０１６１】
［第５実施形態］
第５実施形態の基本構成は、第１から第４実施形態と実質的に同じである。このため、以下では、第１から第４実施形態と異なる構成について、説明を行う。なお、第５実施形態で省略された構成については、第１から第４実施形態の説明に準ずる。
【０１６２】
図１９に示すように、変換部７は、複数（例えば３個）の光源３ｃ，３ｄ，３ｅそれぞれから照射される照射光を集光する集光部７ｅを、さらに有する。
【０１６３】
例えば、集光部７ｅは、第１本体部７ａに設けられる。集光部７ｅは、第１本体部７ａと一体に設けられてもよいし、第１本体部７ａと別体に設けられてもよい。
【０１６４】
集光部７ｅは、複数の導光管部７ｅ１，７ｅ２，７ｅ３を、有する。複数の導光管部７ｅ１，７ｅ２，７ｅ３は、複数の照射光を各別に第１入射面７ｂに導く。具体的には、複数の導光管部７ｅ１，７ｅ２，７ｅ３は、各光源３ｃ，３ｄ，３ｅの光軸Ｋ１，Ｋ２，Ｋ３が、１点で交差するように、配置される。
【０１６５】
この場合、複数の光源３ｃ，３ｄ，３ｅそれぞれから照射される照射光を、集光部７ｅによって集光することができるので、高照度の照射光を生成することができる。すなわち、高照度のコリメート光を生成することができるので、高輝度の映像Ｅを表示することができる。
【０１６６】
［第６実施形態］
第６実施形態の基本構成は、第１から第５実施形態と実質的に同じである。このため、以下では、第１から第５実施形態と異なる構成について、説明を行う。なお、第６実施形態で省略された構成については、第１から第５実施形態の説明に準ずる。
【０１６７】
図２０Ａ及び図２０Ｂに示すように、結像部９は、変換部７と一体に形成され、コリメート光の進行方向と交差する方向に、配置される。詳細には、結像部９は、変換部７と一体に形成され、コリメート光の進行方向と直交する方向に、配置される。
【０１６８】
この場合、光源３から照射された照射光が、変換部７の第１入射面７ｂに入射される。この照射光を反射面７ｃによって反射することによって、コリメート光が生成される。コリメート光は、変換部７（第１本体部７ａ）の内部において結像部９に向かって進み、変換部７及び結像部９の接続部において変換部７と交差する方向に進む。このコリメート光は、結像部９の映像生成部９ｂによって、結像部９の側方に反射される。これにより、映像Ｅが、結像部９の側方に表示される（図２０Ｂを参照）。
【０１６９】
この構成によって、変換部７が配置される平面と間隔を隔てて、映像Ｅを表示することができるので、観察者が結像部９の側方（ランプカバーＴの外側）から映像Ｅを見た場合、映像Ｅの背後に変換部７が見えないので、映像Ｅを好適に視認することができる。また、デッドスペース等を有効に活用することができる。
【０１７０】
［第７実施形態］
第７実施形態の基本構成は、第１から第６実施形態と実質的に同じである。このため、以下では、第１から第６実施形態と異なる構成について、説明を行う。なお、第７実施形態で省略された構成については、第１から第６実施形態の説明に準ずる。
【０１７１】
図２１Ａ〜図２１Ｃに示すように、導光板５は、映像Ｅまわりに光を放出する光放出部１７を、さらに有する。この場合、光放出部１７は、結像部９に設けられる。例えば、光放出部１７は、結像部９の第２本体部９ａに設けられる。詳細には、光放出部１７は、コリメート光の進行方向（Ｙ方向）における第２本体部９ａの端部に、設けられる。
【０１７２】
光放出部１７は、第２本体部９ａから映像Ｅ側に光を放出可能なように、形成される。例えば、図２１Ｂに示すように、光放出部１７は、傾斜部１７ａを有する。傾斜部１７ａは、映像Ｅ側の部分が傾斜している。また、図２１Ｃに示すように、光放出部１７は、第２本体部９ａから映像Ｅ側に向けて湾曲する湾曲部１７ｂを、有していてもよい。
【０１７３】
この場合、結像部９の第２本体部９ａを通過した光が、光放出部１７から映像Ｅのまわりに放出される。これにより、映像Ｅまわりの輝度を上昇させることができる。すなわち、映像Ｅが表示される空間の輝度を、上昇させることができる。
【０１７４】
［他の実施形態］
以上、本発明の一実施形態について説明したが、本発明は上記実施形態に限定されるものではなく、発明の要旨を逸脱しない範囲で種々の変更が可能である。
【０１７５】
（１）前記実施形態の表示装置１は、立体的な映像Ｅを表示してもよいし、平面的な映像Ｅを表示してもよい。また、表示装置１は、立体的な映像Ｅ及び平面的な映像Ｅを同時に表示してもよい。さらに、表示装置１は、立体的な映像Ｅ及び平面的な映像Ｅを、互いに切り換えて表示してもよい。
【０１７６】
（２）前記実施形態における表示装置１の導光板５は、導光板５の特性を評価するための評価パターンＰを、有していてもよい。この場合、例えば、図２２（ａ）に示すように、評価パターンＰは、映像生成部９ｂとは異なる位置において、導光板５例えば変換部７（第１本体部７ａ）に、設けられる。
【０１７７】
ここで、コリメート光が評価パターンＰによって反射されると、評価パターン用の映像が、映像Ｅとは異なる位置に、表示される。この評価パターン用の映像を評価することによって、導光板５の特性を評価することができる。なお、図２２（ｂ）〜図２２（ｅ）には、評価パターンＰの一例が示されている。
【０１７８】
（３）前記実施形態では、表示装置１がテールランプ用の照明装置（車両用の照明装置）に適用される場合の例が、示されたが、表示装置１は、他の装置にも適用可能である。
【０１７９】
例えば、表示装置１は、入力装置にも適用可能である。この場合、図２３に示すように、入力装置１０１は、上述した表示装置１と、映像Ｅに接近する物体を検出するセンサ部１１０とを、備える。
【０１８０】
例えば、センサ部１１０は、非接触で物体を検出する近接センサである。ここでは、センサ部１１０は、赤外線を用いて、映像Ｅに接近する物体を、検知する。
【０１８１】
センサ部１１０は、例えば、光電センサである。センサ部１１０は、投光素子１１０ａと、受光素子１１０ｂとを、有する。
【０１８２】
投光素子１１０ａは、映像Ｅに向けて赤外線を照射する。受光素子１１０ｂは、物体によって反射された赤外線を受ける。センサ部１１０は、検出結果を示す信号をコントローラ５０に出力する。
【０１８３】
詳細には、センサ部１１０は、限定反射センサである。限定反射センサは、所定の検出位置Ｐに物体が位置した場合に、物体の存在を検出する。
【０１８４】
限定反射センサは、複数の所定の検出位置Ｐの少なくともいずれか１つに物体が位置した場合に、物体の存在を検出してもよい。本実施形態では、所定の検出位置Ｐは、映像Ｅの内部に、含まれる。
【０１８５】
このように、入力装置１０１を構成することによって、入力装置１０１を、スイッチ等のような操作装置として、動作させることができる。
【産業上の利用可能性】
【０１８６】
本発明によれば、表示装置１及び車両用の照明装置において、映像Ｅを好適に結像することができる。
【符号の説明】
【０１８７】
１  表示装置
３  光源
３ａ  第１光源
３ｂ  第２光源
５  導光板
７  変換部
７ａ  第１本体部
７ｂ  第１入射面
７ｂ１  光度調整部
７ｃ  反射面
７ｃ１  第１反射面
７ｃ２  第２反射面
７ｃ３  第３反射面
７ｃ４  第４反射面
７ｃ５  第５反射面
７ｄ  透過面
７ｅ  集光部
７ｆ  遮光部
８  プリズム
９  結像部
９ａ  第２本体部
９ｂ  映像生成部
１１  広角光除去部
１２  第１広角光除去部
１３  第２広角光除去部
１５  光制限部
１７  光放出部
Ｅ  映像
Ｈ  出射幅
【図１】
2020072028.tif 000003
【図２Ａ】
2020072028.tif 000004
【図２Ｂ】
2020072028.tif 000005
【図３】
2020072028.tif 000006
【図４】
2020072028.tif 000007
【図５Ａ】
2020072028.tif 000008
【図５Ｂ】
2020072028.tif 000009
【図６Ａ】
2020072028.tif 000010
【図６Ｂ】
2020072028.tif 000011
【図７】
2020072028.tif 000012
【図８】
2020072028.tif 000013
【図９】
2020072028.tif 000014
【図１０Ａ】
2020072028.tif 000015
【図１０Ｂ】
2020072028.tif 000016
【図１１】
2020072028.tif 000017
【図１２】
2020072028.tif 000018
【図１３】
2020072028.tif 000019
【図１４】
2020072028.tif 000020
【図１５Ａ】
2020072028.tif 000021
【図１５Ｂ】
2020072028.tif 000022
【図１５Ｃ】
2020072028.tif 000023
【図１６Ａ】
2020072028.tif 000024
【図１６Ｂ】
2020072028.tif 000025
【図１７Ａ】
2020072028.tif 000026
【図１７Ｂ】
2020072028.tif 000027
【図１８Ａ】
2020072028.tif 000028
【図１８Ｂ】
2020072028.tif 000029
【図１８Ｃ】
2020072028.tif 000030
【図１８Ｄ】
2020072028.tif 000031
【図１８Ｅ】
2020072028.tif 000032
【図１９】
2020072028.tif 000033
【図２０Ａ】
2020072028.tif 000034
【図２０Ｂ】
2020072028.tif 000035
【図２１Ａ】
2020072028.tif 000036
【図２１Ｂ】
2020072028.tif 000037
【図２１Ｃ】
2020072028.tif 000038
【図２２】
2020072028.tif 000039
【図２３】
2020072028.tif 000040